(57)【要約】      （修正有）【課題】小型で、集客力が高く、多くの商品情報を来店客に提供でき、高い汎用性を備えた画像表示装置を提供する。【解決手段】  広告画像（Ａｍ，Ａｂ，Ｂｍ，Ｂｂ）を表示する画像表示部と、メモリに予め記憶された広告画像を読み出して画像表示部表示させる制御部と、を備え、広告画像は、少なくとも、第１の広告画像（Ａｍ，Ｂｍ）とこの第１の広告画像（Ａｍ，Ｂｍ）で広告する商品または役務に対応する情報を含む第２の広告画像（Ａｂ，Ｂｂ）とを含んでおり、制御部は、画像表示部の表示領域（２ａ１）を複数の表示領域（Ｅ１〜Ｅ３）に分割し、第１の広告画像と第２の広告画像とを分割された複数の表示領域のそれぞれに同時に表示させるよう制御する。【選択図】図５
2006343380.tif 000002
【特許請求の範囲】
【請求項１】
商品または役務の広告画像を表示する画像表示装置であって、
前記広告画像を表示する画像表示部と、
メモリに予め記憶された前記広告画像を読み出して前記画像表示部に表示させる制御部と、を備え、
前記広告画像は、少なくとも、第１の広告画像とこの第１の広告画像で広告する商品または役務に対応する情報を含む第２の広告画像とを含んでおり、
前記制御部は、前記画像表示部の表示領域を複数の表示領域に分割し、前記第１の広告画像と前記第２の広告画像とを、分割された前記複数の表示領域のそれぞれに同時に表示させるよう制御して成ることを特徴とする画像表示装置。
【請求項２】
前記第２の広告画像は、前記第１の広告画像で広告する商品または役務に対応するバーコード画像であることを特徴とする請求項１記載の画像表示装置。
【請求項３】
前記制御部は、前記第２の広告画像の前記バーコード画像を、バーコード読み取り装置で読み取り不能な変形画像に変形して表示させると共に、この表示の開始時から所定の時間が経過した後に、前記変形画像を読み取り可能な前記バーコード画像にして表示させるよう制御して成ることを特徴とする請求項２記載の画像表示装置。
【請求項４】
メモリに予め記憶された商品または役務の広告画像を画像表示部に表示する画像表示装置の画像表示方法であって、
前記広告画像は、少なくとも、第１の広告画像とこの第１の広告画像で広告する商品または役務に対応するバーコード画像からなる第２の広告画像とを含んでおり、
前記画像表示部の表示領域を複数の表示領域に分割して前記第１の広告画像と前記第２の広告画像とを、分割された前記複数の表示領域のそれぞれに同時に表示する表示ステップを有し、
前記表示ステップは、前記第２の広告画像の前記バーコード画像をバーコード読み取り装置で読み取り不能な変形画像に変形して表示し、この表示の開始時から所定の時間が経過した後に、前記変形画像を読み取り可能な前記バーコード画像にして表示させることを特徴とする画像表示方法。
【発明の詳細な説明】
【技術分野】
【０００１】
本発明は、画像表示装置及び画像表示方法に係り、特に、集客等のために店舗の商品棚等に設置されて商品の広告用画像を表示する画像表示装置及び画像表示方法に関する。
【背景技術】
【０００２】
店舗の商品棚に設置され、その棚の商品の詳細情報等を含む静止画や動画（以下、広告画像とも表示する）等を表示して集客する画像表示装置が知られている（例えば、特許文献１）。
また、大規模店舗においては、陳列した膨大な商品のそれぞれの売価を、商品マスタから各商品近傍に設置した電子棚札と称される複数の表示装置に送信してそのディスプレイに表示するというような電子棚札システムも普及し始めており、このシステムにおいて、売価のみならず、商品を特定する情報を含んだバーコードを表示する電子棚札も知られている（例えば特許文献２）。
【特許文献１】特開平７−１３４５５５号公報
【特許文献２】特開２００４−２６５１９６号公報
【発明の開示】
【発明が解決しようとする課題】
【０００３】
ところで、商品棚は、商品の陳列効率を向上させるために、また、商品が目立つようにその棚の枠幅をできるだけ細くすることが好ましい。
広告画像を表示する画像表示装置を商品近傍に設置した場合の集客効果は絶大であるが、このような商品棚の細い枠に体裁よく収めるため、その装置は小型（細幅）であることが要望されており、画像を表示する面積も限られる。
従って、多くの情報をより高効率で来店客に提供できるように広告画像の表示方法を工夫する必要がある。
【０００４】
一方、小規模店舗においては、上述したような大がかりな電子棚札システムを導入しても多くのメリットは期待できない。
また、各地を移動する展示会や展示即売会等では、広告する商品も都度異なり、設置状況も様々であるので、サーバを用いたシステムとして機能する画像表示装置は、適用が難しい。
従って、特にこのような用途においては、単体として機能し、高い汎用性を備えた画像表示装置が求められている。
【０００５】
そこで、本発明が解決しようとする課題は、小型でありながら、集客力が高く、多くの商品情報を来店客に提供でき、高い汎用性を備えた画像表示装置及び画像表示方法を提供することにある。
【課題を解決するための手段】
【０００６】
上記の課題を解決するために、本願発明は手段として以下に示す構成の画像表示装置を提供する。
〔１〕  商品または役務の広告画像を表示する画像表示装置であって、
前記広告画像（Ａｍ，Ａｂ，Ｂｍ，Ｂｂ）を表示する画像表示部（２）と、メモリ（２０）に予め記憶された前記広告画像（Ａｍ，Ａｂ，Ｂｍ，Ｂｂ）を読み出して前記画像表示部（２）表示させる制御部（８）と、を備え、前記広告画像（Ａｍ，Ａｂ，Ｂｍ，Ｂｂ）は、少なくとも、第１の広告画像（Ａｍ，Ｂｍ）とこの第１の広告画像（Ａｍ，Ｂｍ）で広告する商品（Ｇ１，Ｇ２）または役務に対応する情報を含む第２の広告画像（Ａｂ，Ｂｂ）とを含んでおり、前記制御部（８）は、前記画像表示部（２）の表示領域（２ａ１）を複数の表示領域（Ｅ１〜Ｅ３）に分割し、前記第１の広告画像（Ａｍ，Ｂｍ、）と前記第２の広告画像（Ａｂ,Ｂｂ）とを、分割された前記複数の表示領域（Ｅ１〜Ｅ３）のそれぞれに同時に表示させるよう制御して成ることを特徴とする画像表示装置（５１）である。
〔２〕  前記第２の広告画像（Ａｂ，Ｂｂ）は、前記第１の広告画像（Ａｍ，Ｂｍ）で広告する商品（Ｇ１，Ｇ２）または役務に対応するバーコード画像（Ａｂ，Ｂｂ）であることを特徴とする〔１〕に記載の画像表示装置（５１）である。
〔３〕  前記制御部（８）は、前記第２の広告画像（Ｂｂ）の前記バーコード画像（Ｂｂ）を、バーコード読み取り装置で読み取り不能な変形画像（Ｂｂ１）に変形して表示させると共に、この表示の開始時から所定の時間（Ｔ２）が経過した後に、前記変形画像（Ｂｂ１）を読み取り可能な前記バーコード画像（Ｂｂ）にして表示させるよう制御して成ることを特徴とする〔２〕に記載の画像表示装置（５１）である。
【０００７】
また、本願発明は手段として以下に示す手順の画像表示方法を提供する。
〔４〕  メモリ（２０）に予め記憶された商品（Ｇ２）または役務の広告画像（Ｂｍ，Ｂｂ）を画像表示部（２）に表示する画像表示装置（５１）の画像表示方法であって、
前記広告画像（Ｂｍ，Ｂｂ）は、少なくとも、第１の広告画像（Ｂｍ）とこの第１の広告画像（Ｂｍ）で広告する商品（Ｇ１）または役務に対応するバーコード画像（Ｂｂ）からなる第２の広告画像（Ｂｂ）とを含んでおり、前記画像表示部（２）の表示領域（２ａ１）を複数の表示領域（Ｅ１〜Ｅ３）に分割して前記第１の広告画像（Ｂｍ）と前記第２の広告画像（Ｂｂ）とを、分割された前記複数の表示領域（Ｅ１〜Ｅ３）のそれぞれに同時に表示する表示ステップを有し、前記表示ステップは、前記第２の広告画像（Ｂｂ）の前記バーコード画像（Ｂｂ）をバーコード読み取り装置で読み取り不能な変形画像（Ｂｂ１）に変形して表示し、この表示の開始時から所定の時間（Ｔ３）が経過した後に、前記変形画像（Ｂｂ１）を読み取り可能な前記バーコード画像（Ｂｂ）にして表示させることを特徴とする画像表示方法である。
【発明の効果】
【０００８】
本発明によれば、小型でありながら、集客力が高く、多くの商品情報を来店客に提供でき、汎用性が極めて高いという効果を奏する。
【発明を実施するための最良の形態】
【０００９】
本発明の実施の形態を、好ましい実施例により図１〜図６を用いて説明する。
図１は、本発明の画像表示装置の実施例を示す外観斜視図である。
図２は、本発明の画像表示装置の実施例を示す分解斜視図である。
図３は、本発明の画像表示装置の実施例における概略ブロック図である。
図４は、本発明の画像表示方法の実施例を説明するフローチャートである。
図５は、本発明の画像表示方法の実施例における表示画像を説明する図である。
図６は、本発明の画像表示装置の実施例を商品陳列棚に設置した状態を示す概略図である。
【００１０】
図１において、実施例の画像表示装置５１は、外観上、一面側に矩形の開口部１ｍが形成されその反対面（裏面）が開放された略箱状の筐体１と、この開口部１ｍを通して表示画像を視認可能に筐体１内に収納される画像表示部２と、筐体１の裏面側に取り付けられる裏板４と、この裏板４に固定される一対の保持具３とを備えている。
筐体１は、樹脂の成形により、または、金属のプレス加工により形成された細長の箱状である。また、図２に示すように、裏面側の端部には、裏板４や後述する基板５を保持するために折り曲げ可能とされた突出片１ａ〜１ｈが設けられている。
【００１１】
この筐体１は、商品陳列棚の横枠に取り付けられた際、天地方向にその枠内に収まるように短手幅ｄが設定されている。具体的には３０ｍｍであり、これ以下であれば、一般的な商品陳列棚の横枠内に収めることができる。
一方、長手方向の長さは、実施例において約９５ｍｍとしてあるが、通常、陳列棚の横枠設置においてこの長手方向の制限はない。
【００１２】
画像表示部２は、その表示素子２ａとして有機ＥＬ（Ｅｌｅｃｔｒｏ  Ｌｕｍｉｎｅｓｃｅｎｔ）素子が用いられ、基板５に支持されている。この表示素子２ａの表示領域２ａ１における短手幅ｄ１は、上述した短手幅の制限があるものの、可能な限り広く約２６ｍｍに設定されている。一方、表示領域２ａ１の長手方向の長さは、約８６ｍｍである。
表示素子２ａとしては、液晶素子等も良好に使用できるが、視野角がより広く、動画の場合の応答がより高速で、バックライトが不要であることから、広告表示においては、有機ＥＬの方が好ましい。
特に、棚に設置した場合に、大人や子供等、様々な身長の来店客から良好に視認可能であり、また、この装置の前に多数集客した場合であっても、広範囲に精細画像を視認可能に提供できる。
【００１３】
基板５は、その一面に、上述したように表示素子２ａが取り付けられ、他面に表示素子２ａの表示駆動部である駆動回路７を含む回路パターン１０，ＣＰＵ８等の電子部品及び扁平のバッテリー６を備えている。
さらに、固体メモリ２０を外部から挿抜可能なスロット１１を備えている。この固体メモリ２０としては、ＳＤメモリーカードやｍｉｎｉＳＤカード等の汎用のカードを使用することができる。このスロット１１の位置に対応して、筐体１には固体メモリ２０を外部から挿入するための挿入孔（図示せず）が設けられている。
【００１４】
裏板４は絶縁性を有し樹脂等により平板状に形成されている。その一面には、棚の横枠を天地方向に挟んで装置自体が取り付けられるようにバネ性を有する材料により略コ字状に形成された保持具３が、両面テープ３ａにより一対固着されている。
【００１５】
この機構的構成において、基板５を、筐体１の内部に収容し筐体１の突出片６ｇ，６ｈ内側に折り曲げることで固定し、次に、裏板４を、筐体１の裏面側に当接させ筐体１の突出片１ａ〜１ｆを内側に折り曲げて固定することで画像表示装置５１が組み立てられる。
【００１６】
次に、実施例の画像表示装置の機能的構成等を、図３〜図６を用いて説明する。
まず、図３に示すように、この実施例の画像表示装置５１は、制御部であるＣＰＵ８と表示素子２ａを駆動する表示駆動部７と表示部２とを含んで構成される。
この実施例では、メモリ２０を外部から挿抜可能とした形態について説明するが、予め基板５に搭載した形態であってもよい。
【００１７】
ＣＰＵ８は、メモリ２０に記憶された複数の画像を、画像表示部２に同時に表示させるように制御することができる。
すなわち、複数の画像を重畳して同時に表示させたり、表示部を任意の数の小エリアに分割してそれぞれに異なる画像を同時に表示させることができる。
分割表示の場合、実施例の画像表示部２の表示領域２ａ１は、上述したように横長であるから、これを３分割することで、それぞれが概ね同サイズの正方表示領域とされて３つの独立した画像を表示することができる。
【００１８】
また、メモリ２０には、この画像表示装置５１で表示させる複数の独立した広告画像が予め記憶されている。
この記憶された広告画像は、例えば、商品Ａについての宣伝用動画Ａｍ及びバーコード画像Ａｂ、並びに、商品Ｂについての宣伝用動画Ｂｍ及びバーコードＢｂである。宣伝用動画は静止画でもよく、その組み合わせでももちろんよい。
具体的には、宣伝用動画Ａｍ，Ｂｍは、例えば、商品Ａ，Ｂの機能や効能等を説明する内容である。
バーコード画像Ａｂ，Ｂｂは、例えば、その商品の詳細な情報を提供するホームページのＵＲＬ（Ｕｎｉｆｏｒｍ  Ｒｅｓｏｕｒｃｅ  Ｌｏｃａｔｏｒ）を記録したＱＲコード（Ｑｕｉｃｋ  Ｒｅｓｏｕｒｃｅ）である。
【００１９】
この画像表示装置は、以下に例を説明する画像表示方法により広告画像を画像表示部２に表示する（図３〜図５参照）。
各例において、制御部８は、表示領域２ａ１を小エリアＥ１〜Ｅ３に分割する（図１及び図５参照）。
【００２０】
＜実施例１＞
まず、制御部８は、メモリ２０から、商品Ａの宣伝用動画ＡｍとバーコードＡｂとの画像情報を読み出して合成し（Ｓ１）、宣伝用動画Ａｍを小エリアＥ１及びＥ２に表示させると共に、バーコードＡｂを小エリアＥ３に表示させる（Ｓ２）。この表示の状態を図５（ａ）に示す。
もちろん、宣伝用動画Ａｍは、予め２つのエリアで表示されることを想定した画面サイズとされている。
【００２１】
所定時間Ｔ１が経過するまで表示を続け、所定時間Ｔ１が経過したら（Ｓ３）、制御部８は、それまで表示させた宣伝用動画Ａｍ及びバーコードＡｂの画像表示を止め（Ｓ４）、その替わりに、メモリ２０から読み出した商品Ｂの宣伝用動画ＢｍとバーコードＢｂとの画像情報を合成し（Ｓ５）、宣伝用動画Ｂｍを小エリアＥ１及びＥ２に表示させると共に、バーコードＢｂを小エリアＥ３に表示させる（Ｓ６）。この表示の状態も図５（ａ）で示される。
【００２２】
所定時間Ｔ２が経過するまで表示を続け、所定時間Ｔ２が経過したら（Ｓ７）、制御部８は、それまで表示させた宣伝用動画Ｂｍ及びバーコードＢｂの画像表示を止め（Ｓ８）、次の処理へ移行する。
次の処理としては、別の商品Ｃについての広告画像等の表示、あるいは、再度商品Ａ，商品Ｂ，…というように画像の繰り返し表示、とすることができる。
【００２３】
この画像表示装置５１に内蔵して、あるいは、この設置場所の近傍に、温度センサ等の人を検知するセンサを設け、そのセンサ出力に基づき、制御部８が周囲に人がいると判断した場合に継続して画像を表示させたり、人がいないと判断した場合に画像表示を停止させ、人が近づいてきたら再び画像表示を開始するようにすることもできる。
所定時間Ｔ１，Ｔ２は、制御部８が、宣伝用動画Ａｍ，Ｂｍの開始から終了までの時間として検出するが、この動画Ａｍ，Ｂｍの表示時間情報として予めメモリ２０に記憶させておき、この表示時間情報に基づき制御部８が判断するようにしてもよい。
【００２４】
このように、各宣伝用動画Ａｍ，Ｂｍと対応したバーコードＡｂ，Ｂｂが、常に各動画と共に表示されるので、宣伝用動画を見て、その商品の詳細情報を知りたくなった来店客は、バーコード読みとり機能を搭載した携帯電話や携帯情報端末等でバーコードＡｂ，Ｂｂを読み取り、そのバーコードＡｂ，Ｂｂに基づいて接続されたインターネットのサイトから詳細情報を入手することができる。
【００２５】
この実施例の変形例として、宣伝用動画Ａｍ，Ｂｍと同時に表示するバーコードＡｂ，Ｂｂの画像を、時間と共に変化させるように構成してもよい。この例を所定時間Ｔ２で表示されるステップＳ６で行う場合を代表として以下に説明する。
【００２６】
制御部８は、所定時間Ｔ２の開始から経過時間Ｔ３までの間（Ｔ３≦Ｔ２）、バーコードＢｂの画像を加工して表示させる。
具体的には、制御部８は、時間Ｔ２の開始時に、それがバーコードであることが来店客に目視で認識されるが読み取りができない程度に変形し、時間経過と共にその変形度合いを除々に少なくし、時間Ｔ３が経過した時点で、バーコードとして読みとり可能な画像になるように加工する。
図５（ｂ）にその変形を施した表示の例を示す。
当図において、表示領域２ａ１を分割した小エリアＥ１，Ｅ２には宣伝用動画Ｂｍが表示され、小エリアＥ３には、バーコードＢｂが、ぼかし処理が施されたバーコード画像Ｂｂ１とされて表示されている。
この変形加工されたバーコード画像Ｂｂ１は、バーコードであることが判別できるものの、読み取り装置ではバーコードとして認識できない程度に加工された画像である。
【００２７】
このバーコード画像の変形における他の例として、上述したぼかしの他に、渦巻き状，部分的拡大（縮小），歪曲，あるいは階調反転等の方法がある。もちろん、それぞれを組み合わせた変形としてもよい。
このような変形を行うことにより、バーコードを読みとって詳細情報を得ようとする来店客を、それが読み取り可能となるまでその場に立ち止まらせることができる。
すなわち、商品に興味を持った来店客は、それに対応するバーコードが読みとり可能となるまで宣伝用動画を見ることになり、また、商品の近くにいる時間が長くなるので、その来店客に対して商品購入へのより強い動機付けを行うことができる。
【００２８】
また、バーコードを読みとって所定のＵＲＬのホームページにアクセスさせるための来店客への動機付けは、例えば、そのホームページにアクセスすることで景品が当たる等の、アクセスに対する有益付加情報を提供することで促進することができる。
【００２９】
上述した画像表示装置５１を、商品陳列棚３１に設置した例を図６に示す。
この図において、商品陳列棚３１の棚３１Ａには商品Ｇ１が陳列され、棚３２Ｂには商品Ｇ２が陳列されている。
各棚３１Ａ，３１Ｂの前面端部３１Ａ１，３１Ｂ１には、それぞれ実施例の画像表示装置５１が取り付けられている。尚、この設置例では、保持具３は両面テープとされている。
【００３０】
また、商品棚の横枠である前面端部３１Ｂ１には、複数の画像表示装置５１を長手方向に並べて配置されている。この場合に、それぞれの表示画像を連携させるように構成してもよい。
すなわち、それぞれの装置に入出力端子を設けておき、互いに電気的に接続する。そして、各制御部８がその連携を制御する構成とする。
具体的表示としては、各画像表示装置に跨って文字情報を横方向にスクロールさせたり、超横長画像を表示させる例がある。
これにより、棚の横枠という限定した範囲に、４：３や１６：９の、通常のアスペクト比を有する表示素子では得られない印象の強い画像を提供することができる。
例えば、吊り竿、車等の移動体、あるいは、超広角の風景等での広告に極めて有効である。
【００３１】
上述した実施例は、以下のような変形例とすることができる。
バーコードの内容に時刻情報を含めてもよい。これにより、例えば、バーコードを取り込んだ時刻が特定できるので、予め設定された時刻（時間範囲）に取り込んだ画像をカウンターに提示することで商品の値引きやポイント付加を行うという役務を提供することができる。
電源は、内蔵バッテリに限らず、ＡＣアダプタからのＤＣ入力を備えて長時間の安定動作を可能としてもよい。もちろん、併用してもよい。
【００３２】
以上、詳述したように、実施例や変形例の画像表示装置等によれば、１台の画像表示装置により複数の商品の広告を同時に行うことができる。
これは、売り場の異なる関連商品の複合購買への動機付けとなる。例えば、ビデオカメラとそれに用いる記録媒体（テープや光ディスク等）である。
【００３３】
また、棚の横枠に収まる小型でありながら、極めて多くの商品情報を来店客に提供することができ、メモリを搭載あるいは挿抜可能としているので、記憶させる情報を入れ替えることにより、この装置単体で多種多様な商品情報を表示提供することができる。
従って、この画像表示装置等は、汎用性が高く、各地を移動して行う展示会等や小規模店舗への適用性も極めて高いものである。
【００３４】
本発明の実施例は、上述した構成及び手順に限定されるものではなく、本発明の要旨を逸脱しない範囲において以下に示すような別の変形例としてもよい。
例えば、スピーカを内蔵してメモリに記憶された音声情報を音として出力するようにしてもよい。その場合、制御部により、表示する画像に応じて出力される音が制御されることは言うまでもない。
【００３５】
棚等に設置するための保持手段は、実施例で保持具３として説明したような両面テープやばね性を有する独立したものでなくてもよく、筐体１や裏板４に設けられ、棚とボルト等で一体化できるような雌ねじや雄ねじあるいは、孔等でもよい。
表示領域２ａ１を分割する分割数は３に限るものではない。広告する商品の数や、広告画像の内容に応じて、適切な領域形状で、任意の数に分割してよい。
【００３６】
表示する広告画像は、内蔵あるいは挿抜されるメモリに記憶されたものでなくてもよい。画像表示装置に外部との通信機能を備え、インターネットやＵＳＢ（Ｕｎｉｖｅｒｓａｌ  Ｓｅｒｉａｌ  Ｂｕｓ）を介して外部の機器から入手する構成でもよい。
また、制御部が広告画像として取得するバーコード画像は、画像としてではなく、この画像を生成するためのデータとして取得する構成でもよい。この場合、制御部は、読み出して取得したデータからバーコード画像を生成し、生成したバーコード画像を画像表示部に表示させる。
また、上述した実施例や変形例においては、広告画像として、宣伝用動画（あるいは静止画）とバーコードとを含んでいるものを例示したが、宣伝用動画と対になる画像は、いわゆる輝度の異なる棒模様あるいは２次元の点描模様としてのバーコードに限定されるものではなく、読み取り装置により光学的に読み取り可能な模様や文字列等であってもよい。
また、画像表示装置は、画像表示部を複数搭載していてもよい。
【図面の簡単な説明】
【００３７】
【図１】本発明の画像表示装置の実施例を示す外観斜視図である。
【図２】本発明の画像表示装置の実施例を示す分解斜視図である。
【図３】本発明の画像表示装置の実施例における概略ブロック図である。
【図４】本発明の画像表示方法の実施例を説明するフローチャートである。
【図５】本発明の画像表示方法の実施例における表示画像を説明する図である。
【図６】本発明の画像表示装置の実施例を商品陳列棚に設置した状態を示す概略図である。
【符号の説明】
【００３８】
１  筐体
１ａ〜１ｈ  突出片
１ｍ  開口部
２  画像表示部
２ａ  表示素子
２ａ１  表示領域
３  保持具
３ａ  両面テープ
４  裏板
５  基板
６  電源（バッテリ）
７  駆動回路（表示駆動部）
８  ＣＰＵ（制御部）
１０  回路パターン
１１  スロット
２０  メモリ
５１  画像表示装置
Ａｍ，Ｂｍ  宣伝用動画（第１の広告画像）
Ａｂ，Ｂｂ  バーコード画像（第２の広告画像）
Ｂｂ１（Ａｂ１）  変形画像
Ｅ１〜Ｅ３  （画像表示領域の）小エリア
Ｔ１〜Ｔ３  時間
【図１】
2006343380.tif 000003
【図２】
2006343380.tif 000004
【図３】
2006343380.tif 000005
【図４】
2006343380.tif 000006
【図５】
2006343380.tif 000007
【図６】
2006343380.tif 000008